(57)【要約】【課題】ドロワ内の高額紙幣の収納枚数を店員や店舗の責任者には即座に把握させ、顧客等の店員以外の者には収納枚数を把握できないようにし、会計作業で取り扱われる高額紙幣の回収作業を、店員が効率良く安全に行うことができるようにする。【解決手段】ＰＯＳ端末の決済作業用ディスプレイ１２２の情報表示面１２３には、ドロワに収納されている高額紙幣（一万円札）の収納枚数を示す星型アイコン３２３が表示される。星型アイコン３２３は、タッチパネルから万券キーボタン３２２がタッチ操作されたり、ＰＯＳ端末に備わるハードウェアキーが押下されたりした場合に、その表示態様が変化する。【選択図】図５
2010061479.tif 000002
【特許請求の範囲】
【請求項１】
情報表示面に情報を表示出力する表示部と、
情報処理を実行する情報処理部と、
を備え、
前記情報処理部は、
高額紙幣を収納したことを示す高額紙幣入金信号を通知する高額紙幣入金通知部からの高額紙幣入金信号の通知毎に記憶部に記憶されている高額紙幣収納枚数をインクリメントする処理と、
前記表示部を制御して前記高額紙幣収納枚数をアイコンとして前記情報表示面に表示させる処理と、
を実行する商品販売データ処理装置。
【請求項２】
前記高額紙幣入金通知部は、前記情報表示面に積層配置されるタッチパネルであり、
前記情報処理部は、前記表示部を制御して高額紙幣入金操作用のボタン領域を前記情報表示面に表示させる処理と、当該ボタン領域に対する前記タッチパネルからのタッチ操作を判定した場合に前記高額紙幣収納枚数をインクリメントする処理と、を実行する、
請求項１記載の商品販売データ処理装置。
【請求項３】
前記高額紙幣入金通知部は、
前記商品販売データ処理装置に設けられたハードウェアキーと、
当該ハードウェアキーの押下に応じて高額紙幣入金信号を通知する入金信号出力回路と、
を含む、請求項１記載の商品販売データ処理装置。
【請求項４】
前記高額紙幣入金通知部は、紙幣入金部と紙幣出金部と紙幣収納部と金種識別部とを有し、当該紙幣入金部から入金された紙幣の金種を識別し当該紙幣が高額紙幣であることを判定した場合に前記高額紙幣入金信号を通知する入出金装置である、
請求項１記載の商品販売データ処理装置。
【請求項５】
前記情報処理部は、前記高額紙幣収納枚数が所定の警告枚数以上であると判定した場合、前記表示部を制御して高額紙幣を回収すべき旨を前記情報表示面に表示させる処理を実行する、
請求項１ないし４のいずれか一に記載の商品販売データ処理装置。
【請求項６】
情報表示面に情報を表示出力する表示部を備える商品販売データ処理装置のコンピュータにインストールされ、当該コンピュータに、
高額紙幣を収納したことを示す高額紙幣入金信号を通知する高額紙幣入金通知部からの高額紙幣入金信号の通知毎に記憶部に記憶されている高額紙幣収納枚数をインクリメントする機能と、
前記表示部を制御して前記高額紙幣収納枚数をアイコンとして前記情報表示面に表示させる機能と、
を実現させるコンピュータプログラム。
【発明の詳細な説明】
【技術分野】
【０００１】
本発明は、スーパーマーケット等の店舗のレジエリアに導入され、店員が行う会計作業を支援する商品販売データ処理装置及びこれに用いられるコンピュータプログラムに関する。
【背景技術】
【０００２】
従来、スーパーマーケット等のレジエリアには、商品販売データ処理装置として、ＰＯＳ端末とともに現金を収納するためのドロワや入出金装置が設置され、店員が行う会計作業の効率化が図られている。そして、多くの店舗では、防犯対策等の観点から、店員や店舗の責任者が折を見てドロワや入出金装置内の現金を回収し、安全な場所（例えば、店舗のバックヤードに設置される金庫の中）に保管することが行われている。回収される現金のうち、特に、高額紙幣である一万円札については厳重な取り扱いがなされており、多くの店舗では、ドロワや入出金装置の中に所定枚数以上一万円札が溜まった時点で回収を行うという運用がなされている。
【０００３】
特許文献１には、ドロワや入出金装置内の一万円札の枚数をカウントする技術として、ドロワ内に配置されるマネーケースに設けられた高額紙幣収納部に隣接する位置に高額紙幣の枚数を表示する表示器を取り付け、この表示器に泥湾ウィの高額紙幣の枚数表示を行い、商品販売データ処理装置に設けられた万券キーや万券両替キーの押下に応じ枚数表示を増減して表示させることが記載されている。
【０００４】
【特許文献１】特開２０００−１４９１３８公報
【発明の開示】
【発明が解決しようとする課題】
【０００５】
ドロワや入出金装置内の一万円札の枚数をカウントする手法としては、特許文献１に記載されている技術の他にも、ＰＯＳ端末の近傍に記録用紙を用意しておき、店員が会計作業中に顧客から一万円札を受け取った時点でその記録用紙に各店員が所持する印鑑を押すことが考えられる。この手法は、実際に、多くの店舗で採用されている。しかし、この手法には、店員が顧客から一万円札を受け取った時点で店員はＰＯＳ端末のキーボードやタッチパネルから手を離し、印鑑を手に持って記録用紙に押すために、店員が行うＰＯＳ端末の操作が中断し会計作業の効率が悪くなってしまうという問題がある。また、繁忙時には店員が会計作業中に印鑑を手に持つ余裕がなく、一万円札を受け取ったことを記録用紙に記録し忘れてしまうという問題もある。さらには、記録用紙は、店員や店舗の責任者のみならず会計を待っている顧客にも目に付き、顧客がドロワや入出金装置にどれくらい一万円札が収納されているかを知ることできてしまうという、セキュリティ上の問題もある。
【０００６】
一方、特許文献１に記載の商品販売データ処理装置では、ドロワが引き出されなければ表示器に表示されている高額紙幣の枚数を確認することができず、顧客はその表示器を通常見ることができないため、セキュリティ上の問題は少ない。しかし、ドロワは、一般に、会計作業中に顧客からの預り金や顧客への釣り金を出し入れする時のみ開放されるものであり、店員は、その時にしか高額紙幣の枚数を確認することができず、高額紙幣の回収のタイミングを計りにくい。ましてや、ドロワから離れた位置にいる店舗の責任者等は、高額紙幣の枚数を確認することすらできない。
【０００７】
本発明は、以上の点を鑑みてなされたものであり、会計作業で取り扱われる高額紙幣の回収作業を、効率良く安全に行うことを目的とする。
【課題を解決するための手段】
【０００８】
本発明の商品販売データ処理装置は、情報表示面に情報を表示出力する表示部と、情報処理を実行する情報処理部と、を備え、前記情報処理部は、高額紙幣を収納したことを示す高額紙幣入金信号を通知する高額紙幣入金通知部からの高額紙幣入金信号の通知毎に記憶部に記憶されている高額紙幣収納枚数をインクリメントする処理と、前記表示部を制御して前記高額紙幣収納枚数をアイコンとして前記情報表示面に表示させる処理と、を実行する。
【０００９】
本発明のコンピュータプログラムは、情報表示面に情報を表示出力する表示部を備える商品販売データ処理装置のコンピュータにインストールされ、当該コンピュータに、高額紙幣を収納したことを示す高額紙幣入金信号を通知する高額紙幣入金通知部からの高額紙幣入金信号の通知毎に記憶部に記憶されている高額紙幣収納枚数をインクリメントする機能と、前記表示部を制御して前記高額紙幣収納枚数をアイコンとして前記情報表示面に表示させる機能と、を実現させる。
【発明の効果】
【００１０】
本発明によれば、店員や店舗の責任者は、情報表示面に表示される高額紙幣の収納枚数を示すアイコン表示を見て、会計作業中に商品販売データ処理装置を操作しながら高額紙幣の収納枚数を把握し高額紙幣の回収作業のタイミングを見計らうことができ、一方、店員以外の者は、情報表示面に表示されるアイコンが何を意味しているかを理解できず高額紙幣の収納枚数を把握できないため、会計作業で取り扱われる高額紙幣の回収作業を、効率良く安全に行うことができる。
【発明を実施するための最良の形態】
【００１１】
本発明の実施の一形態（第一の実施の形態）について、図１ないし図１０に基づいて説明する。本実施の形態は、スーパーマーケットのレジエリアに導入され、顧客と顧客の持ち寄った商品とを一方向に流し、その流れの中で商品コード入力部による商品コードの入力と、決済部による決済とを行うように構成されている商品販売データ処理装置としてのＰＯＳシステム１０１への適用例である。また、本実施の形態において、「高額紙幣」とは、日本国内に流通している紙幣のうち、額面金額が最も高い一万円札のことをいうものとする。
【００１２】
図１は、ＰＯＳシステム１０１の全体を示す斜視図である。スーパーマーケットのレジエリアには、顧客１０２が移動する顧客移動通路１０３に沿うように、細長い矩形形状のカウンタ１０４が設置される。カウンタ１０４は、店舗内の空間を、顧客移動通路１０３を含む顧客側空間１０６と、店員１０７が待機する店員側空間１０８とに区画している。カウンタ１０４の長辺方向の略中央であって、その上面の顧客側空間１０６寄りの位置には、商品コード入力装置１０９が立設されている。
【００１３】
商品コード入力装置１０９は、店員側空間１０８の方向に向けて読取窓１１３を有し、商品コード入力部としてのコードスキャナ１１０（図２参照）を内蔵して、スーパーマーケットで販売される各商品１１１に付されているコードシンボル１１２を読取窓１１３を介して光学的に読み取る装置である。コードスキャナ１１０は、読み取ったコードシンボル１１２を商品コードにデコードする。商品コード入力装置１０９は、この商品コードを、決済部としてのＰＯＳ端末１１５（後述）に向けて送信出力する。商品コード入力装置１０９は、コードスキャナ１１０の他にも、読取作業用ディスプレイ１０９ａと、この読取作業用ディスプレイ１０９ａに積層配置されている読取作業用タッチパネル１０９ｂと、キーボード１０９ｃと、客用ディスプレイ１０９ｄと、この客用ディスプレイ１０９ｄに積層配置されている客用タッチパネル１０９ｅとを備えて構成されている。
【００１４】
カウンタ１０４の近傍には、顧客移動通路１０３の流れに沿う商品１１１の流れ方向下流側に位置させて、ＰＯＳ端末設置台１１６が設置される。ＰＯＳ端末設置台１１６の上には、開放信号が入力されることによりロックが解除され引出可能となるドロワ１１７が設置される。このドロワ１１７の上には、ＰＯＳ端末１１５が設置される。ＰＯＳ端末１１５とドロワ１１７とは接続コード１２９により接続されており、ＰＯＳ端末１１５がドロワ１１７に開放信号を送信することで、ドロワ１１７のロックが解除される。ＰＯＳ端末１１５は、レシート発行口１１８と磁気カード読取溝１１９とが上面に形成されているハウジング１２０を有する。このハウジング１２０の上面には、ハードウェアキーとしてのキーボード１２１が設けられている。また、ハウジング１２０の上面で図１に示す店員側空間１０８で商品コード入力装置１０９に対面する位置に立つ店員１０７から見て奥側になる箇所には、表示部としての決済作業用ディスプレイ１２２が、情報表示面１２３を店員１０７に向けて、立設状態で取り付けられている。この決済作業用ディスプレイ１２２は、一例として、液晶ディスプレイである。情報表示面１２３には、タッチパネル１２４が積層配置されている。また、ハウジング１２０には、レシート発行口１１８から排出されるレシート（図示せず）を印刷発行するレシートプリンタ１２６（図２参照）と、磁気カード読取溝１１９に挿通されたクレジットカード等の磁気カード（図示せず）に記憶されている情報を読み取る磁気カードリーダ１２７（図２参照）とが内蔵されている。また、ＰＯＳ端末１１５には、電子マネー情報を記憶しているＩＣカード（図示せず）に対し近距離無線通信によってデータの読み取り及び書き込みを行うＩＣカードリーダライタ１２８が接続されている。このＩＣカードリーダライタ１２８は、カウンタ１０４の上面で商品の流れ方向の下流側の端部近傍に取り付けられている。
【００１５】
商品コード入力装置１０９とＰＯＳ端末１１５とドロワ１１７とＩＣカードリーダライタ１２８とは、接続コード１２９を介してデータ通信自在に接続され、ＰＯＳシステム１０１を構成している。そして、店員１０７は、店舗に導入されたこのＰＯＳシステム１０１を用いて、顧客１０２が買物カゴ１３０に収納した状態でレジエリアに持ち寄った購入予定の商品１１１についての会計作業を行う。
【００１６】
店員１０７が行う会計作業の流れについて説明する。会計作業は、大まかには、商品コード入力装置１０９を用いて行うコードシンボル１１２の読取作業と、それに続くＰＯＳ端末１１５を用いて行う決済作業とにより構成される。まず、店員１０７は、コードシンボル１１２の読取作業として、カウンタ１０４の上面で商品コード入力装置１０９に対し商品１１１の流れ方向の上流側に位置付けられた買物カゴ１３０から商品１１１を取り出し、読取窓１１３にその商品１１１のコードシンボル１１２をかざす。その後、店員１０７は、カウンタ１０４の上面で商品１１１の流れ方向の下流側に予め位置付けておいた空の第２買物カゴ１３１に、コードシンボル１１２読取済みの商品１１１を投入する。買物カゴ１３０内の商品１１１についてコードシンボル１１２の読み取りを終了した場合、店員１０７は、商品コード入力装置１０９に設けられたキーボード１０９ｃに含まれる締めキー（図示せず）を押下する締め操作を行ってコードシンボル１１２の読取作業の終了を宣言し、ＰＯＳ端末１１５に対面する位置に移動する。そして、店員１０７は、決済作業として、商品コード入力装置１０９から入力された商品コードに基づいて算出され決済作業用ディスプレイ１２２に表示される商品代金を顧客１０２に示し、キーボード１２１を用いて顧客１０２から受け取った預り金の金額を入力した後に現計キー（図示せず）を押下し、レシート発行口１１８から排出されたレシート（図示せず）を顧客１０２に手渡し、さらに、開放されたドロワ１１７に預り金を収納し、お釣りとなる現金を取り出して顧客１０２に手渡す。
【００１７】
図２は、ＰＯＳシステム１０１の電気的構成を示すブロック図である。ＰＯＳ端末１１５は、情報処理部としてのマイクロコンピュータ１５０を備える。マイクロコンピュータ１５０は、ＣＰＵ１５１とＲＯＭ１５２と記憶部としてのＲＡＭ１５３とを備えて構成される。ＲＡＭ１５３には、高額紙幣収納枚数を示す高額紙幣収納枚数データを記憶するメモリ領域が確保されている。そして、マイクロコンピュータ１５０は、キーボード１２１、決済作業用ディスプレイ１２２、タッチパネル１２４、レシートプリンタ１２６、磁気カードリーダ１２７のそれぞれに入出力回路１２１ａ，１２２ａ，１２４ａ，１２６ａ，１２７ａを介して接続し、これら各部の駆動制御を司る。また、マイクロコンピュータ１５０は、ハードディスク１５４、外部機器インタフェイス１５５、ＬＡＮインタフェイス１５６のそれぞれにも接続し、これら各部の駆動制御も司る。ハードディスク１５４には、商品コードに対応付けて商品名や商品単価等の商品情報を格納する商品データファイルＦ１や、売上情報を格納する売上データファイルＦ２、決済作業用ディスプレイ１２２に表示する各種のアイコン等の画像データを格納する表示データファイルＦ３を含む各種のデータファイルが記憶保存されている。また、ハードディスク１５４は、ＯＳ、ドライバプログラム、アプリケーションプログラム等の各種のプログラムＰＧも記憶している。外部機器インタフェイス１５５は、ＰＯＳ端末１１５と、このＰＯＳ端末１１５に接続コード１２９を介して接続されるドロワ１１７、商品コード入力装置１０９及びＩＣカードリーダライタ１２８のそれぞれとの間のデータ通信を実現する。ＬＡＮインタフェイス１５６は、ＰＯＳ端末１１５と、店舗内のＬＡＮネットワーク１５７を介して接続されるストアコントローラ１５８との間のデータ通信を実現する。マイクロコンピュータ１５０は、ＰＯＳ端末１１５の起動時にハードディスク１５４内に記憶されている各種のプログラムＰＧの全部又は一部をＲＡＭ１５３に読み込んでプログラムＰＧの記述に従った処理を実行する。プログラムＰＧには、マイクロコンピュータ１５０に、商品コード入力処理（図３参照）及び決済処理（図４参照）とで構成される商品販売データ処理を実行させる処理内容が記載されている。また、プログラムＰＧには、マイクロコンピュータ１５０に、高額紙幣入金記録処理（図８参照）を実行させる処理内容も記載されている。また、プログラムＰＧには、マイクロコンピュータ１５０に、ストアコントローラ１５８から配信された商品情報や画像データを商品データファイルＦ１や表示データファイルＦ３に格納する処理を実行させる処理内容も記載されている。
【００１８】
商品コード入力装置１０９は、読取作業用ディスプレイ１０９ａ、読取作業用タッチパネル１０９ｂ、キーボード１０９ｃ、客用ディスプレイ１０９ｄ、客用タッチパネル１０９ｅ、コードスキャナ１１０、インタフェイス１０９ｇ及びハードディスク１０９ｈのそれぞれに接続してこれら各部の制御を司るマイクロコンピュータ１０９ｆを備える。インタフェイス１０９ｇは、商品コード入力装置１０９とＰＯＳ端末１１５との間のデータ通信を実現する。ハードディスク１０９ｈには、マイクロコンピュータ１０９ｆが実行する処理の内容を記述したプログラムＰＧ’や、読取作業用ディスプレイ１０９ａや客用ディスプレイ１０９ｄに表示する画像データ等の各種のデータを記憶するデータファイル（図示せず）が格納されている。
【００１９】
マイクロコンピュータ１０９ｆは、プログラムＰＧ’の記述に従い、客用ディスプレイ１０９ｄを制御してその表示面に各種の要望内容を示す要望ボタン（図示せず）を表示させている。そして、マイクロコンピュータ１０９ｆは、キーボード１０９ｃの締めキー（図示せず）が押下されてその次に商品コードが入力されるまでに客用タッチパネル１０９ｅからの要望ボタンのタッチ操作を判定した場合、最後に行われた取引についてのその要望ボタンに対応した要望情報をＰＯＳ端末１１５に送信出力する処理を実行する。この要望情報は、要望アイコン３１９（図５ないし図７参照）を表示する際に用いられる。
【００２０】
図３は、商品販売データ処理の一部をなす商品コード入力処理の流れを示すフローチャートである。ＰＯＳ端末１１５のマイクロコンピュータ１５０は、機器の起動中、プログラムＰＧ（図２参照）の記述に従って商品販売データ処理を実行している。前述したように、商品販売データ処理は、商品コード入力処理（図３）と決済処理（図４参照）とにより構成される。マイクロコンピュータ１５０は、これら二つの処理を、マルチタスクにより並行して実行する。
【００２１】
マイクロコンピュータ１５０は、機器の起動中、商品コード入力装置１０９からの商品コードの入力を待機している（ステップＳ１０１）。商品コード入力装置１０９では、マイクロコンピュータ１０９ｆがプログラムＰＧ’の記述に従って、コードスキャナ１１０からの商品コードの入力を判定すると入力された商品コードをＰＯＳ端末１１５に対して送信出力する処理を実行している。また、このマイクロコンピュータ１０９ｆは、プログラムＰＧ’の記述に従って、読取作業用ディスプレイ１０９ａに各種の商品アイコン画像（図示せず）を表示し、読取作業用タッチパネル１０９ｂからの商品アイコン画像に対するタッチ操作入力を判定するとその商品アイコン画像に対する商品コードをＰＯＳ端末１１５に対して送信出力する処理も実行している。
【００２２】
商品コード入力装置１０９から出力される商品コードの入力を判定した場合（ステップＳ１０１のＹ）、マイクロコンピュータ１５０は、商品コード入力処理を開始し、商品データファイルＦ１内のデータを検索して商品コード入力装置１０９から入力された商品コードに対応する商品情報を取得しＲＡＭ１５３に記憶する検索処理を実行する（ステップＳ１０２）。
【００２３】
続く処理として、マイクロコンピュータ１５０は、締め操作及び新たな商品コードのいずれかの入力を待機する（ステップＳ１０３及びステップＳ１０４）。
【００２４】
商品コード入力装置１０９からの新たな商品コードの入力を判定した場合（ステップＳ１０３のＮ及びステップＳ１０４のＹ）、マイクロコンピュータ１５０は、処理をステップＳ１０２に戻し、新たに入力された商品コードに対応する商品情報を検索すべく検索処理（ステップＳ１０２）を実行する。
【００２５】
これに対し、締め操作の入力がなされたと判定した場合（ステップＳ１０３のＹ）、マイクロコンピュータ１５０は、商品コード入力処理の開始以降にＲＡＭ１５３に記憶した商品情報を一取引分の商品情報として確定し（ステップＳ１０５）、一連の商品コード入力処理を終了し再びステップＳ１０１に処理を戻す。締め操作の入力に関して、商品コード入力装置１０９のマイクロコンピュータ１０９ｆは、プログラムＰＧ’の記述に従って、キーボード１０９ｃの締めキー（図示せず）の押下を判定した場合にＰＯＳ端末１１５に向けて取引情報確定信号を送信出力する処理を実行している。そこで、ＰＯＳ端末１１５のマイクロコンピュータ１５０は、この取引情報確定信号の入力をもって、締め操作が入力されたと判定する。
【００２６】
ここで、商品コード入力装置１０９のマイクロコンピュータ１０９ｆは、ＰＯＳ端末１１５での処理の状況にかかわらず、商品コードや取引情報確定信号をＰＯＳ端末１１５に送信出力する。そのため、マイクロコンピュータ１５０が次に述べる決済処理を実行しなかったり、この決済処理の進行が遅かったりすれば、商品コード入力処理によってＲＡＭ１５３内に商品情報が次々に記憶され、さらにその商品情報は取引情報確定信号の入力とともに一取引分として確定される。つまり、ＲＡＭ１５３内には、複数取引分の確定された商品情報と、一取引分の商品情報として確定されていない商品情報とが記憶されることになる。
【００２７】
図４は、商品販売データ処理の一部をなす決済処理の流れを示すフローチャートである。マイクロコンピュータ１５０は、一取引分として確定された商品情報がＲＡＭ１５３に記憶されていないと判定している間（ステップＳ２０１のＮ）、決済作業用ディスプレイ１２２を制御して、情報表示面１２３に待機画面（図５参照）を表示させる処理を実行している（ステップＳ２０２）。これに対し、マイクロコンピュータ１５０は、ＲＡＭ１５３に一取引分として確定された商品情報が記憶されていると判定した場合（ステップＳ２０１のＹ）、決済処理を開始し、ＲＡＭ１５３に記憶された最も早く確定された取引（以下、「最先取引」と称する）分の商品情報に基づいて、最先取引について顧客が支払うべき取引金額を算出する（ステップＳ２０３）。
【００２８】
続く処理として、マイクロコンピュータ１５０は、決済作業用ディスプレイ１２２を制御して情報表示面１２３に明細画面（図６参照）を表示させる（ステップＳ２０４）。
【００２９】
続く処理として、マイクロコンピュータ１５０は、キーボード１２１から顧客１０２からの預り金額が入力され現計キー（図示せず）が押下されるまで処理を待機する（ステップＳ２０５）。預り金額の入力及び現計キーの押下を判定した場合（ステップＳ２０５のＹ）、マイクロコンピュータ１５０は、預り金額と取引金額との差額である釣り金額を算出し（ステップＳ２０６）、決済作業用ディスプレイ１２２を制御して情報表示面１２３に決済完了画面（図７参照）を表示させる（ステップＳ２０７）。
【００３０】
続く処理として、マイクロコンピュータ１５０は、後処理を実行する（ステップＳ２０８）。この後処理には、取引金額や預り金額、釣り金額及びこの取引に関する商品情報を含む売上情報を売上データファイルＦ２に記憶する処理と、レシートプリンタ１２６を駆動制御してレシート（図示せず）を印刷発行させる処理と、ドロワ１１７に対し開放信号を送信出力する処理と、ＲＡＭ１５３に記憶されている最先取引分の商品情報をクリアする処理とが含まれる。
【００３１】
続く処理として、マイクロコンピュータ１５０は、決済作業用ディスプレイ１２２の情報表示面１２３に表示されている決済完了画面５０１（図７参照）中の閉じるボタン５０７に対するタッチパネル１２４からのタッチ操作がなされたと判定した場合（ステップＳ２０９のＹ）、一連の決済処理を終了し処理を再びステップＳ２０１に戻す
なお、マイクロコンピュータ１５０は、決済処理中のステップＳ２０５において、現計キー（図示せず）の代わりに、磁気カード読取溝１１９からクレジットカード（図示せず）が挿通されそのクレジットカードの磁気情報が磁気カードリーダ１２７によって読み取られたことを判定した場合には、クレジット決済に応じた処理を実行する。また、マイクロコンピュータ１５０は、決済処理中のステップＳ２０５において、現計キー（図示せず）の代わりに、ＩＣカードリーダライタ１２８に顧客１０２が所持している電子マネー情報が記憶されたＩＣカード（図示せず）がかざされた場合には電子マネー決済に応じた処理を実行する。
【００３２】
以上に述べたような商品販売データ処理を実行するＰＯＳシステム１０１を用い、店員１０７は、顧客１０２と会計取引を行う。店員は、商品コード入力装置１０９に対面して待機し、顧客１０２が持ち寄りカウンタ１０４に載置された買物カゴ１３０から商品１１１を取り出してコードシンボル１１２を読取窓１１３にかざす。ＰＯＳ端末１１５には、コードスキャナ１１０で読み取られたコードシンボル１１２に対応する商品コードが入力され、商品データファイルＦ１に記憶されているこの商品コードに対応した商品情報がＲＡＭ１５３に記憶される。なお、店員１０７は、読取作業用タッチパネル１０９ｂをタッチ操作することによっても、ＰＯＳ端末１１５に商品コードを入力することもできる。このようなコードシンボル１１２の読取作業や読取作業用タッチパネル１０９ｂに対するタッチ操作により、買物カゴ１３０内のすべての商品１１１についての商品コードの入力を終了した場合、店員１０７は、商品コード入力装置１０９のキーボード１０９ｃに含まれる締めキー（図示せず）を押下し、ＰＯＳ端末１１５に対面する位置に移動する。この締めキーの押下によって、ＰＯＳ端末１１５のＲＡＭ１５３に記憶されている商品情報は一取引分の商品情報として確定され、ＰＯＳ端末１１５では決済処理が開始される。店員１０７は、決済作業用ディスプレイ１２２に表示される商品代金を顧客１０２に示し、キーボード１２１を用いて顧客１０２から受け取った預り金の金額を入力した後に現計キー（図示せず）を押下する。この現計キーの押下によって、ドロワ１１７が開放され、ＰＯＳ端末１１５のレシート発行口１１８からはレシート（図示せず）が排出される。店員は、このレシートを顧客１０２に手渡し、さらに、開放されたドロワ１１７からお釣りとなる現金を取り出して顧客１０２に手渡し、顧客１０２からの預り金をドロワ１１７に収納する。
【００３３】
本実施の形態のＰＯＳシステム１０１では、商品コード入力装置１０９やＰＯＳ端末１１５に対する操作を、商品コード入力装置１０９に対する操作のみを担当するチェッカとＰＯＳ端末１１５に対する操作のみを担当するキャッシャとによる二人制体制によっても運用することが可能である。これは、商品販売データ処理を構成する商品コード入力処理（図３参照）と決済処理（図４参照）とが独立して実行されることによる。
【００３４】
ところで、ＰＯＳ端末１１５のマイクロコンピュータ１５０は、図４に基づいて説明したように、決済作業用ディスプレイ１２２を制御して、店員１０７がＰＯＳ端末１１５を操作するために必要な操作案内情報（図５ないし図７）を、情報表示面１２３に表示させる処理を実行している。マイクロコンピュータ１５０は、表示データファイルＦ３に記憶されている画像データを用いて、図５ないし図７に示す操作案内情報を構成し、情報表示面１２３に表示させている。以下、この操作案内情報について説明する。
【００３５】
図５は、決済作業用ディスプレイ１２２に表示される待機画面３０１の一例を示す模式図である。ＰＯＳ端末１１５の決済作業用ディスプレイ１２２の情報表示面１２３には、決済処理（図４）中のステップＳ２０２の処理によって、待機画面３０１が表示される。この待機画面３０１は、決済作業用ディスプレイ１２２の情報表示面１２３に表示される操作案内情報の一つである。待機画面３０１は、ヘッダ部３０２と、商品情報詳細表示部３０３と、待機客情報表示部３０４と、フッタ部３０５とが、この順に上から並べられて構成されている。
【００３６】
ヘッダ部３０２には、現在時刻情報３０６と、業務メニュー表示ボタン３０７とが含まれている。マイクロコンピュータ１５０は、タッチパネル１２４から業務メニュー表示ボタン３０７に対しタッチ操作されたと判定した場合、決済作業用ディスプレイ１２２を制御して情報表示面１２３の表示内容をＰＯＳ端末１１５に備わる各種の機能を実行するための業務メニュー表示画面（図示せず）に切り替える処理を実行する。
【００３７】
商品情報詳細表示部３０３には、商品情報リスト３０８と、スクロールボタン３０９とが含まれている。商品情報リスト３０８には、商品コード入力装置１０９から商品コードが入力されることによってＲＡＭ１５３に蓄積記憶された商品情報の詳細を表形式で示される。この商品情報リスト３０８の列方向には「商品名」、「単価」、「数量」、「割引」、「金額」及び「税」を示す各フィールド３１０が設けられ、行方向にはＲＡＭ１５３に記憶されている商品情報を表示するための商品情報表示領域３１１が複数設けられている。スクロールボタン３０９は、タッチパネル１２４からのタッチ操作に応じて商品情報リスト３０８を行方向にスクロール表示するためのものである。商品情報リスト３０８の下方には、取引金額３１２及び商品販売点数３１３を表示するための小計表示領域３１４が設けられている。また、商品情報詳細表示部３０３には、商品情報リスト３０８に積層させて、「取引が開始されていません」というメッセージを店員１０７に向けて示すメッセージウィンドウ３２０も表示される。
【００３８】
待機客情報表示部３０４は、左端に位置する待機客人数表示部３１５と、その右側に横並びに配置されている四つの待機客アイコン表示部３１６とにより構成される。待機客人数表示部３１５には、商品コード入力装置１０９のキーボード１０９ｃの待ちキー（図示せず）の押下によって取引の内容が確定されたものの、ＰＯＳ端末１１５で未だ決済処理が行われていないために未決済状態にある取引の件数を示すものである。マイクロコンピュータ１５０は、ＲＡＭ１５３に記憶されている各取引分の商品情報として確定された商品情報に基づいて、最先取引を除く決済待ちの取引の件数を算出し、この待機客人数表示部３１５に表示する。四つの待機客アイコン表示部３１６には、最先取引を含む各取引の商品情報がアイコンとして表示される。各待機客アイコン表示部３１６は、左から順に、最先取引、二番目の取引、三番目の取引、四番目の取引に対応している。各待機客アイコン表示部３１６には、顧客１０２を表現したイラスト画像３１７と、顧客１０２が購入しようとする商品の点数を表現したグラフ３１８と、客が客用タッチパネル１０９ｅから指定入力した要望内容を示す要望アイコン３１９とが表示される。グラフ３１８は、各取引における商品販売点数に比例して増加する棒グラフである。要望アイコン３１９は、客用タッチパネル１０９ｅからのタッチ操作を受けて商品コード入力装置１０９から送信される要望情報に基づいて表示される。
【００３９】
フッタ部３０５については、後に述べる。
【００４０】
図６は、決済作業用ディスプレイ１２２に表示される明細画面４０１の一例を示す模式図である。ＰＯＳ端末１１５の決済作業用ディスプレイ１２２の情報表示面１２３には、決済処理（図４）中のステップＳ２０４の処理によって、明細画面４０１が表示される。この明細画面４０１は、決済作業用ディスプレイ１２２の情報表示面１２３に表示される操作案内情報の一つである。明細画面４０１のレイアウトは、待機画面３０１（図５参照）と基本的に同じであるが、メッセージウィンドウ３２０が表示されておらず、ＲＡＭ１５３に記憶されている最先取引分の商品情報の明細が商品情報リスト３０８に表示され、さらに小計表示領域３１４には、最先取引の取引金額３１２及び商品販売点数３１３が表示されているという点が異なる。
【００４１】
図７は、決済作業用ディスプレイ１２２に表示される決済完了画面５０１の一例を示す模式図である。ＰＯＳ端末１１５の決済作業用ディスプレイ１２２の情報表示面１２３には、決済処理（図４）中のステップＳ２０７の処理によって、決済完了画面５０１が表示される。この決済完了画面５０１は、決済作業用ディスプレイ１２２の情報表示面１２３に表示される操作案内情報の一つである。決済完了画面５０１は、明細画面４０１（図６参照）のうち商品情報詳細表示部３０３と待機客情報表示部３０４とフッタ部３０５とがグレーアウトされ、その上に支払完了ウィンドウ５０２がポップアップされて構成されたものである。支払完了ウィンドウ５０２には、最先取引の取引金額５０３及び商品販売点数５０４と、決済処理のステップＳ２０５で入力された預り金額５０５と、決済処理のステップＳ２０６で算出された釣り金額５０６と、閉じるボタン５０７とが表示される。
【００４２】
ここで、図５に示した待機画面３０１、図６に示した明細画面４０１、及び、図７に示した決済完了画面５０１のいずれにも、下方にフッタ部３０５が表示されていることに注目する。フッタ部３０５は、四個のファンクションキーボタン３２１が表示される。ファンクションキーボタン３２１のうち二つは、待機画面３０１の左端に位置に横並びに表示され、そのうち右側には「万券」という表示がなされている。この「万券」と表示されたファンクションキーボタン３２１は、高額紙幣入金操作用のボタン領域を示す万券キーボタン３２２である。そして、フッタ部３０５には、高額紙幣の収納状況を示す収納状況表示領域３２４が万券キーボタン３２２の右側に設けられている。この収納状況表示領域３２４には、星型アイコン３２３のみならず、ダイヤ型アイコン３２５（図９参照）や回収警告アイコン３２６（図１０参照）も表示される。これらのアイコンは、店員１０７に、ドロワ１１７内に収納されている高額紙幣（一万円札）の枚数を把握させるためのものであり、万券キーボタン３２２に対するタッチパネル１２４からのタッチ操作がなされるごとに変化する。この、収納状況表示領域３２４内の表示を変化させる処理について、図８に基づいて、以下に説明する。
【００４３】
図８は、高額紙幣入金記録処理の流れを示すフローチャートである。ＰＯＳ端末１１５のマイクロコンピュータ１５０は、機器の起動中、プログラムＰＧ（図２参照）の記述に従い、情報表示面１２３に表示されている万券キーボタン３２２に対するタッチ操作がタッチパネル１２４からなされたか否かを判定している（ステップＳ３０１）。万券キーボタン３２２に対するタッチ操作がなされたと判定した場合（ステップＳ３０１のＹ）、マイクロコンピュータ１５０は、高額紙幣入金記録処理を開始し、記憶部であるＲＡＭ１５３に記憶されている高額紙幣収納枚数データをインクリメントする（ステップＳ３０２）。すなわち、本実施の形態のＰＯＳシステム１０１では、タッチパネル１２４は、高額紙幣を収納したことを示す高額紙幣入金信号を通知する高額紙幣入金通知部としての役割を果たしている。
【００４４】
続く処理として、マイクロコンピュータ１５０は、ＲＡＭ１５３に記憶されている高額紙幣収納枚数データが１０枚より小さい高額紙幣収納枚数を示すものであると判定した場合（ステップＳ３０３のＮ）、決済作業用ディスプレイ１２２を制御して、収納状況表示領域３２４に高額紙幣収納枚数分の星型アイコン３２３を表示する（ステップＳ３０４）。一方、マイクロコンピュータ１５０は、ステップＳ３０３において、ＲＡＭ１５３に記憶されている高額紙幣収納枚数データが１０枚以上の高額紙幣収納枚数を示すものであると判定した場合には（ステップＳ３０３のＹ）、決済作業用ディスプレイ１２２を制御して、収納状況表示領域３２４に、高額紙幣収納枚数を１０で割った商の個数分のダイヤ型アイコン３２５（図９参照）と、高額紙幣収納枚数を１０で割った余りの個数分の星型アイコン３２３とを表示する（ステップＳ３０５）。すなわち、一個の星型アイコン３２３は、高額紙幣収納枚数の１枚に相当する。また、一個のダイヤ型アイコン３２５は、高額紙幣収納枚数の１０枚に相当する。
【００４５】
ステップＳ３０４もしくはステップＳ３０５に続く処理として、マイクロコンピュータ１５０は、ＲＡＭ１５３に記憶されている高額紙幣収納枚数データが予め定められた警告枚数以上の高額紙幣収納枚数を示すものであるか否かを判定する（ステップＳ３０６）。この警告枚数は、一例として、１５枚に設定されているが、業務メニュー表示ボタン３０７（図５参照）に対するタッチパネル１２４でのタッチ操作によって移行する業務メニュー表示画面（図示せず）から適宜設定することが可能である。マイクロコンピュータ１５０は、ステップＳ３０６において、高額紙幣収納枚数データが警告枚数以上の高額紙幣収納枚数を示すものであると判定した場合にのみ（ステップＳ３０６のＹ）、決済作業用ディスプレイ１２２を制御して、収納状況表示領域３２４に回収警告アイコン３２６（図１０参照）を表示する（ステップＳ３０７）。
【００４６】
ステップＳ３０６において高額紙幣収納枚数データが警告枚数以上の高額紙幣収納枚数を示すものでないと判定した場合（ステップＳ３０６のＮ）、もしくは、ステップ３０７の処理を終了した場合、マイクロコンピュータ１５０は、一連の高額紙幣入金記録処理を終了し処理をステップＳ３０１に戻す。
【００４７】
ここで重要なのは、ＰＯＳ端末１１５のマイクロコンピュータ１５０は、機器の起動中、マルチタスクにより図８に示す高額紙幣入金記録処理を、他の処理と並行して実行しているということである。このため、マイクロコンピュータ１５０は、決済作業用ディスプレイ１２２の情報表示面１２３に待機画面３０１（図５参照）、明細画面４０１（図６参照）及び決済完了画面５０１（図７参照）のうちどの画面が表示されている状態でも、タッチパネル１２４を介して万券キーボタン３２２がタッチ操作されたことを判定した場合、ＲＡＭ１５３に記憶されている高額紙幣収納枚数データをインクリメントし、決済作業用ディスプレイ１２２を制御して情報表示面１２３に表示されている収納状況表示領域３２４内の表示を変化させる処理を実行する。
【００４８】
上記の高額紙幣入金記録処理の他にも、ＰＯＳ端末１１５のマイクロコンピュータ１５０は、プログラムＰＧの記述に従って、ＲＡＭ１５３に記憶されている高額紙幣収納枚数データを０にリセットし収納状況表示領域３２４内のアイコン表示をクリアする処理も実行する。この処理は、一例として、マイクロコンピュータ１５０が、タッチパネル１２４を介して万券キーボタン３２２が所定時間以上（例えば、３秒以上）連続してタッチ操作されたと判定した場合に実行する。また、別の一例として、マイクロコンピュータ１５０が、業務メニュー表示ボタン３０７（図５参照）に対するタッチパネル１２４でのタッチ操作によって移行する業務メニュー表示画面（図示せず）内のアイコンリセットボタン（図示せず）のタッチ操作を判定した場合に実行するようにしてもよい。
【００４９】
以上に述べたような商品販売データ処理を実行するＰＯＳシステム１０１を用い、店員１０７は、顧客１０２と会計取引の間に顧客１０２から受け取った高額紙幣（一万円札）をドロワ１１７に収納する際、ドロワ１１７から顔を上げて決済作業用ディスプレイ１２２の情報表示面１２３に表示されている万券キーボタン３２２をタッチパネル１２４からタッチ操作することで、収納状況表示領域３２４に表示されているアイコンを変化させることができる。図８に基づいて説明した処理（高額紙幣入金記録処理）は、ＰＯＳ端末１１５の起動中、いつでも行われている。このため、店員１０７は、ＰＯＳ端末１１５が起動されている状態であれば、印鑑を手にとって記録用紙に押す作業と同様に、いつでも、タッチパネル１２４から万券キーボタン３２２をタッチ操作して収納状況表示領域３２４内の表示を変化させることができる。
【００５０】
図９は、星型アイコン３２３の他にダイヤ型アイコン３２５が表示された状態の明細画面４０１を示す模式図である。万券キーボタン３２２がタッチ操作されたことにより、ＲＡＭ１５３に記憶されている高額紙幣収納枚数データが１０枚以上の高額紙幣収納枚数を示すものになった場合、マイクロコンピュータ１５０が行う高額紙幣入金記録処理のステップＳ３０５の処理によって、収納状況表示領域３２４内には、左端にダイヤ型アイコン３２５が表示され、その右側に並んで星型アイコン３２３が表示される。図９に示す例では、収納状況表示領域３２４に、一つのダイヤ型アイコン３２５と二つの星型アイコン３２３が表示されている。このため、店員１０７は、決済作業用ディスプレイ１２２の情報表示面１２３を見るだけで、ドロワ１１７の中に１２枚の高額紙幣（一万円札）が収納されていることを把握できる。
【００５１】
また、万券キーボタン３２２がタッチ操作されたことにより、ＲＡＭ１５３に記憶されている高額紙幣収納枚数データが９枚以下の高額紙幣収納枚数を示すものになった場合、マイクロコンピュータ１５０が行う高額紙幣入金記録処理のステップＳ３０４の処理によって、収納状況表示領域３２４内には星型アイコン３２３のみが表示される。先に紹介した図５ないし図７に示す例では、収納状況表示領域３２４には、四つの星型アイコン３２３が表示されている。このため、店員１０７は、このように表示された決済作業用ディスプレイ１２２の情報表示面１２３を見るだけで、ドロワ１１７の中に４枚の高額紙幣（一万円札）が収納されていることを把握できる。
【００５２】
図１０は、回収警告アイコン３２６が表示された状態の明細画面４０１を示す模式図である。万券キーボタン３２２がタッチ操作されたことにより、ＲＡＭ１５３に記憶されている高額紙幣収納枚数データが警告枚数（例えば１５枚）の高額紙幣収納枚数を示すものになった場合、マイクロコンピュータ１５０が行う高額紙幣入金記録処理のステップＳ３０５の処理によって、収納状況表示領域３２４内には、ダイヤ型アイコン３２５や星型アイコン３２３の右側に、回収警告アイコン３２６が表示される。回収警告アイコン３２６は、図１０に示すように、エクスクラメーションマークを丸で囲んで表現されており、赤色で表示される。図１０に示す例では、収納状況表示領域３２４には、一つのダイヤ型アイコン３２５と五つの星型アイコン３２３とが表示され、さらにその右隣に回収警告アイコン３２６が表示される。このため、店員１０７は、ドロワ１１７の中に１５枚の高額紙幣（一万円札）が収納されていることを把握でき、さらには、店員１０７や責任者（図示せず）をはじめとする店舗の関係者が、このドロワ１１７内の高額紙幣（一万円札）を回収すべきタイミングにあることを把握することができる。そして、店員１０７等がドロワ１１７から高額紙幣（一万円札）を回収した場合には、タッチパネル１２４からの操作によって、前述した高額紙幣収納枚数データを０にリセットする処理をＰＯＳ端末１１５に行わせて、収納状況表示領域３２４内のアイコンをクリアする。
【００５３】
このように、本実施の形態のＰＯＳシステム１０１によれば、ドロワ１１７に収納された高額紙幣（一万円札）の枚数をカウントするために、ＰＯＳ端末１１５の近傍に記録用紙を用意し、店員１０７が会計作業中に顧客１０２から高額紙幣（一万円札）を受け取った時点でその記録用紙に各店員１０７が所持する印鑑を押すという作業を行う必要がなくなる。このことにより、店員１０７は、会計作業を中断して印鑑を手に持って記録用紙に押す必要は無くなり、会計作業中であっても対面している決済作業用ディスプレイ１２２の情報表示面１２３に積層配置されたタッチパネル１２４をタッチ操作するだけでよく、会計作業の効率が悪くなるという問題が解消される。
【００５４】
また、本実施の形態のＰＯＳシステム１０１によれば、繁忙時であっても、店員１０７が会計取引において必ず対面する決済作業用ディスプレイ１２２の情報表示面１２３に、一見するだけで理解しやすい星型アイコン３２３、ダイヤ型アイコン３２５及び回収警告アイコン３２６が会計作業中いつでも表示されているため、高額紙幣（一万円札）を受け取ったことを記録し忘れるという問題も解消される。また、星型アイコン３２３、ダイヤ型アイコン３２５及び回収警告アイコン３２６は、店員１０７や店舗の責任者のみ意味をすぐに理解でき、会計作業中にＰＯＳ端末１１５を操作しながら高額紙幣の収納枚数を把握できる。さらには、警告枚数以上に高額紙幣が収納された場合には、星型アイコン３２３やダイヤ型アイコン３２５に隣接させてこれらとは異なる態様の回収警告アイコン３２６が表示されるため、店員１０７や店舗の責任者は、この回収警告アイコン３２６を見て高額紙幣の回収作業を行うべきタイミングを逸することがなくなる。
【００５５】
加えて、本実施の形態のＰＯＳシステム１０１によれば、会計を待っている顧客１０２には一見するだけでは星型アイコン３２３、ダイヤ型アイコン３２５及び回収警告アイコン３２６の意味が理解できず、顧客１０２がドロワ１１７内の高額紙幣（一万円札）の収納枚数を知られにくいため、セキュリティ上の問題も解消される。
【００５６】
さらには、本実施の形態のＰＯＳシステム１０１によれば、店員１０７にキーボード１２１から手を離させてタッチパネル１２４にタッチ操作させることで高額紙幣（一万円札）が収納したことを記録させるため、印鑑を手に持たせる程ではないにしろ、キーボード１２１から手を離させるという従来の高額紙幣の収納記録の運用を活かしつつ、敢えてそのような行為を行わせることで、操作性を維持しながらも会計作業上の慣れを防ぎ、店員１０７が高額紙幣（一万円札）の収納の記録作業を怠ることを防ぐことができる。
【００５７】
ここで、本実施の形態のＰＯＳシステム１０１の変形例について紹介する。
【００５８】
第一の変形例として、タッチパネル１２４に対するタッチ操作ではなく、ＰＯＳ端末１１５に設けられたキーボード１２１の中の一つのキーをハードウェアキーとしての万券キーとして予め設定しておき、この万券キーの押下によって収納状況表示領域３２４内のアイコン表示を変化されるようにしても良い。この場合、ＰＯＳ端末１１５のマイクロコンピュータ１５０は、万券キーの押下に応じて入金信号出力回路としての入出力回路１２１ａが出力する信号の通知を判定した場合に、ＲＡＭ１５３に記憶されている高額紙幣収納枚数データをインクリメントする。この変形例において、ハードウェアキーとしての万券キーと入出力回路１２１ａとは、高額紙幣入金通知部を構成する。
【００５９】
本実施の形態に対する第二の変形例として、ＰＯＳ端末１１５に、ドロワ１１７に代えて入出金装置を接続し、入出金装置で高額紙幣（一万円札）の入金が判定された場合に収納状況表示領域３２４内のアイコン表示を変化されるようにしても良い。入出金装置は、紙幣入金部と紙幣出金部と紙幣収納部とを有して構成され、紙幣入金部から紙幣収納部まで連絡する紙幣通過経路に金種を識別するためのセンサを配置し、このセンサが出力する電気信号に基づいて金種識別を実行し高額紙幣（一万円札）の入金を判定した場合にＰＯＳ端末１１５に高額紙幣入金信号を通知する回路を備えて構成されるものである。この変形例において、入出金装置は、前記高額紙幣入金通知部としての役割を果たす。
【図面の簡単な説明】
【００６０】
【図１】ＰＯＳシステムの全体を示す斜視図である。
【図２】ＰＯＳシステムの電気的構成を示すブロック図である。
【図３】商品販売データ処理の一部をなす商品コード入力処理の流れを示すフローチャートである。
【図４】商品販売データ処理の一部をなす決済処理の流れを示すフローチャートである。
【図５】決済作業用ディスプレイに表示される待機画面の一例を示す模式図である。
【図６】決済作業用ディスプレイに表示される明細画面の一例を示す模式図である。
【図７】決済作業用ディスプレイに表示される決済完了画面の一例を示す模式図である。
【図８】高額紙幣入金記録処理の流れを示すフローチャートである。
【図９】星型アイコンの他にダイヤ型アイコンが表示された状態の明細画面を示す模式図である。
【図１０】回収警告アイコンが表示された状態の明細画面を示す模式図である。
【符号の説明】
【００６１】
１０１…ＰＯＳシステム（商品販売データ処理装置）、１２１…キーボード（ハードウェアキー）、１２１ａ…入出力回路（入金信号出力回路）、１２２…決済作業用ディスプレイ（表示部）、１２３…情報表示面、１２４…タッチパネル（高額紙幣入金通知部）、１５０…マイクロコンピュータ（情報処理部）、１５３…ＲＡＭ（記憶部）、３２２…万券キーボタン（ボタン領域）、３２３…星型アイコン、３２５…ダイヤ型アイコン、３２６…回収警告アイコン、ＰＧ…プログラム
【図１】
2010061479.tif 000003
【図２】
2010061479.tif 000004
【図３】
2010061479.tif 000005
【図４】
2010061479.tif 000006
【図５】
2010061479.tif 000007
【図６】
2010061479.tif 000008
【図７】
2010061479.tif 000009
【図８】
2010061479.tif 000010
【図９】
2010061479.tif 000011
【図１０】
2010061479.tif 000012